(57)【特許請求の範囲】
【請求項１】
設定可能な複数の受信チャンネルを備え、これら受信チャンネルからいずれかの受信チャンネルが使用に係るチャンネルとして設定されるものであり、複数の送信チャンネルのうちで前記設定に係る前記受信チャンネルに対応する前記送信チャンネルに設定されたマイクロフォンからの送信信号を受信するワイヤレス受信機において、
全ての前記受信チャンネルについて外部の装置によって使用されているか否かを判定し、使用されていると判定された受信チャンネルを外部使用チャンネルとして抽出し、
前記外部使用チャンネルのそれぞれについて、前記外部使用チャンネルの周波数と互いに干渉しあう周波数範囲内の各周波数に対応する各受信チャンネルを混信チャンネルとして抽出し、
前記全受信チャンネルから前記外部使用チャンネルおよび前記混信チャンネルを除いた受信チャンネル群に属しかつ互いに所定周波数以上離れた受信チャンネルの組み合わせのうち、一組み合わせ内の前記受信チャンネルを設定可能チャンネルとして抽出する
ことを特徴とするワイヤレス受信機。
【請求項２】
請求項１に記載のワイヤレス受信機において、
前記受信チャンネルのそれぞれは前記組み合わせとしてのグループに分けられており、
前記グループのそれぞれは同一グループ内で互いに前記所定周波数以上離れた前記受信チャンネルの組み合わせであり、
前記設定可能チャンネルの抽出では、前記全受信チャンネルから前記外部使用チャンネルおよび前記混信チャンネルを除いた受信チャンネル群に属しかつ前記グループのうちいずれかのグループに属する受信チャンネルを前記設定可能チャンネルとして抽出する
ことを特徴とするワイヤレス受信機。
【請求項３】
請求項２に記載のワイヤレス受信機において、
前記設定可能チャンネルの抽出の際、前記グループごとに、前記設定可能チャンネルの個数を求め、この個数が最も多いグループを設定可能最多グループとして選出し、この設定可能最多グループに属する受信チャンネルを前記設定可能チャンネルとして抽出する
ことを特徴とするワイヤレス受信機。
【請求項４】
請求項３に記載のワイヤレス受信機において、
前記設定可能チャンネルの抽出の際、前記グループのそれぞれについて前記外部使用チャンネルの信号レベルの平均値を求め、
前記設定可能最多グループが複数あるとき、前記設定可能最多グループのうちで前記信号レベルの平均値が最も小さいグループを抽出し、このグループに属する受信チャンネルを前記設定可能チャンネルとして抽出する
ことを特徴とするワイヤレス受信機。
【請求項５】
請求項１〜４のいずれか一項に記載のワイヤレス受信機において、
前記外部使用チャンネルに対応する外部周波数を含む前後で、２以上のチャンネルを使用したときチャンネル同士が互いに干渉し合う範囲において前記外部周波数から最も低周波数側に離れた周波数を第１周波数とし、前記外部周波数から最も高周波数側に離れた周波数を第２周波数として、
前記第１周波数と前記第２周波数との間の周波数を有する前記受信チャンネルを前記混信チャンネルとして抽出する
ことを特徴とするワイヤレス受信機。
【請求項６】
請求項１〜５のいずれか一項に記載のワイヤレス受信機において、
前記外部使用チャンネルの周波数の相互３次変調歪の影響を受ける周波数に対応するチャンネルを前記混信チャンネルとして抽出する
ことを特徴とするワイヤレス受信機。
【請求項７】
請求項１に記載のワイヤレス受信機において、
前記設定可能チャンネルの抽出の際、前記全受信チャンネルから前記外部使用チャンネルおよび前記混信チャンネルを除いた受信チャンネル群を対象として、互いに干渉しあう前記所定周波数以上離れるように前記受信チャンネルの組み合わせを少なくとも一つ決定し、この組み合わせの中から前記受信チャンネルの個数が最も多い前記組み合わせを抽出し、抽出に係る組み合わせの内の前記受信チャンネルを設定可能チャンネルとして抽出する
ことを特徴とするワイヤレス受信機。
【請求項８】
請求項３に記載のワイヤレス受信機において、
前記設定可能チャンネルの抽出の際、前記設定可能最多グループを複数選出した場合は、前記外部使用チャンネルの平均信号レベルが最も低い値を有する前記設定可能最多グループを選択して、この選択に係る設定可能最多グループに属する受信反チャンネルを設定可能チャンネルとして抽出する
ことを特徴とするワイヤレス受信機。
【請求項９】
請求項１〜８のいずれか一項に記載のワイヤレス受信機と、マイクロフォンとを備えるワイヤレスマイクロフォンシステム。
【発明の詳細な説明】
【技術分野】
【０００１】
本発明は、複数の受信チャンネルを備え、複数の送信チャンネルを有するマイクロフォンからの送信信号を受信するワイヤレス受信機およびそのワイヤレスマイクロフォンシステムに関する。
【背景技術】
【０００２】
上記ワイヤレス受信機としては、例えば特許文献１に記載のものが知られている。
このワイヤレス受信機は、複数のマイクロフォンから信号を受信し、各マイクロフォンの信号を再生する。各マイクロフォンは複数のチャンネルを有し、設定されたチャンネルに対応する周波数により信号を送信する。ワイヤレス受信機は、マイクロフォンにおいて設定されたチャンネルと同じ周波数を有するチャンネルが受信可能に設定され、同マイクロフォンからの信号を受信する。すなわち、複数のマイクロフォンが使用されるとき、複数のチャンネルが同時かつ同一空間で使用される。
【０００３】
ところで、ワイヤレスマイクロフォンシステムを使用するとき、複数のチャンネルから任意のチャンネルを選択する必要がある。しかし、複数のチャンネルを同時かつ同一空間で使用するとき、電波同士が影響しあって混信が生じることがある。このため、チャンネルの選択は、混信が生じないように設定する必要がある。具体的には、使用するチャンネル間の混信を回避するために、外部からの電波との混信を避けるために当該電波の周波数に対応するチャンネルを除外して、チャンネルを設定する。
【０００４】
しかし、このような設定は操作が煩雑であり、ワイヤレスマイクロフォンシステムの技術を把握していない者にとっては大変困難な作業である。
そこで、特許文献１では、ワイヤレス受信機で使用するチャンネルの周波数以外の周波数の外部信号が存在するか否かを自動的に検出し、この外部信号に対応するチャンネル除外して、マイクロフォンおよびワイヤレス受信機のチャンネルを設定する。
【先行技術文献】
【特許文献】
【０００５】
【特許文献１】特開平１０−２００４３４号公報
【発明の概要】
【発明が解決しようとする課題】
【０００６】
しかし、上記のように外部からの信号に対応するチャンネルを除外してマイクロフォンおよびワイヤレス受信機の設定を行っても混信が生じることがあった。
本発明はこのような実情に鑑みてなされたものであり、その目的は、混信の生じることが少ないチャンネルを自動的に設定することができるワイヤレス受信機およびワイヤレスマイクロフォンシステムを提供することにある。
【課題を解決するための手段】
【０００７】
以下、上記目的を達成するための手段およびその作用効果について記載する。
（１）請求項１に係るワイヤレス受信機は、設定可能な複数の受信チャンネルを備え、これら受信チャンネルからいずれかの受信チャンネルが使用に係るチャンネルとして設定されるものであり、複数の送信チャンネルのうちで前記設定に係る前記受信チャンネルに対応する前記送信チャンネルに設定されたマイクロフォンからの送信信号を受信するワイヤレス受信機において、全ての前記受信チャンネルについて外部の装置によって使用されているか否かを判定し、使用されていると判定された受信チャンネルを外部使用チャンネルとして抽出し、前記外部使用チャンネルのそれぞれについて、前記外部使用チャンネルの周波数と互いに干渉しあう周波数範囲内の各周波数に対応する各受信チャンネルを混信チャンネルとして抽出し、前記全受信チャンネルから前記外部使用チャンネルおよび前記混信チャンネルを除いた受信チャンネル群に属しかつ互いに所定周波数以上離れた受信チャンネルの組み合わせのうち、一組み合わせ内の前記受信チャンネルを設定可能チャンネルとして抽出することを要旨とする。
【０００８】
この発明によれば、外部使用チャンネルおよび混信チャンネル以外の受信チャンネルが、使用者が設定することができる設定可能チャンネルとされる。このため、使用者は混信が生じない受信チャンネルを容易に設定することができる。
【０００９】
（２）請求項２に記載の発明は、請求項１に記載のワイヤレス受信機において、前記受信チャンネルのそれぞれは前記組み合わせとしてのグループに分けられており、前記グループのそれぞれは同一グループ内で互いに前記所定周波数以上離れた前記受信チャンネルの組み合わせであり、前記設定可能チャンネルの抽出では、前記全受信チャンネルから前記外部使用チャンネルおよび前記混信チャンネルを除いた受信チャンネル群に属しかつ前記グループのうちいずれかのグループに属する受信チャンネルを前記設定可能チャンネルとして抽出することを要旨とする。
【００１０】
外部使用チャンネルおよび混信チャンネル以外の受信チャンネルを複数使用したとき、使用した受信チャンネル同士で混信が生じることがある。この点、本発明によれば、上記構成の同一グループ内において、外部使用チャンネルおよび混信チャンネル以外の受信チャンネルが設定可能チャンネルとされるため、設定されるチャンネル同士の混信を抑制することができる。
【００１１】
（３）請求項３に記載の発明は、請求項２に記載のワイヤレス受信機において、前記設定可能チャンネルの抽出の際、前記グループごとに、前記設定可能チャンネルの個数を求め、この個数が最も多いグループを設定可能最多グループとして選出し、この設定可能最多グループに属する受信チャンネルを前記設定可能チャンネルとして抽出することを要旨とする。
【００１２】
この発明によれば、グループごとに互いに混信が生じない受信チャンネルの個数が求められて、このうちその個数が最も多いグループが設定可能最多グループとして選出される。そして、この設定可能最多グループ内の互いに混信しない受信チャンネルが設定可能チャンネルとされるため、使用者の使用することのできるチャンネル数を多くすることができる。
【００１３】
（４）請求項４に記載の発明は、請求項３に記載のワイヤレス受信機において、前記設定可能チャンネルの抽出の際、前記グループのそれぞれについて前記外部使用チャンネルの信号レベルの平均値を求め、前記設定可能最多グループが複数あるとき、前記設定可能最多グループのうちで前記信号レベルの平均値が最も小さいグループを抽出し、このグループに属する受信チャンネルを前記設定可能チャンネルとして抽出することを要旨とする。
【００１４】
この発明によれば、設定可能最多グループが複数あるとき、各グループについて外部使用チャンネルの信号レベルの平均値が求められて、信号レベルの平均値が最も小さい設定可能最多グループが抽出される。そして、このグループ内で、外部使用チャンネルおよび混信チャンネル以外の各受信チャンネルが設定可能チャンネルとされる。このため、最も混信が生じにくいグループを使用者に示すことができる。
【００１５】
（５）請求項５に記載の発明は、請求項１〜４のいずれか一項に記載のワイヤレス受信機において、前記外部使用チャンネルに対応する外部周波数を含む前後で、２以上のチャンネルを使用したときチャンネル同士が互いに干渉し合う範囲において前記外部周波数から最も低周波数側に離れた周波数を第１周波数とし、前記外部周波数から最も高周波数側に離れた周波数を第２周波数として、前記第１周波数と前記第２周波数との間の周波数を有する前記受信チャンネルを前記混信チャンネルとして抽出することを要旨とする。
【００１６】
この発明によれば、チャンネル設定したとき互いに干渉し合う帯域に属する周波数は、混信チャンネルに該当するものとされて、設定可能チャンネルから除外されるため、チャンネル同士の混信をより確実に抑制することができる。
【００１７】
（６）請求項６に記載の発明は、請求項１〜５のいずれか一項に記載のワイヤレス受信機において、前記外部使用チャンネルの周波数の相互３次変調歪の影響を受ける周波数に対応するチャンネルを前記混信チャンネルとして抽出することを要旨とする。
【００１８】
この発明によれば、外部使用チャンネルに対応する周波数の相互３次変調歪の影響のある周波数を有するチャンネルを混信チャンネルとして設定しないものに比較して、ワイヤレス受信機の使用者に、混信が生じるおそれが小さい受信チャンネルを確実に示すことができる。
（７）請求項７に記載の発明は、請求項１に記載のワイヤレス受信機において、前記設定可能チャンネルの抽出の際、前記全受信チャンネルから前記外部使用チャンネルおよび前記混信チャンネルを除いた受信チャンネル群を対象として、互いに干渉しあう前記所定周波数以上離れるように前記受信チャンネルの組み合わせを少なくとも一つ決定し、この組み合わせの中から前記受信チャンネルの個数が最も多い前記組み合わせを抽出し、抽出に係る組み合わせの内の前記受信チャンネルを設定可能チャンネルとして抽出することを要旨とする。
（８）請求項８に記載の発明は、請求項３に記載のワイヤレス受信機において、前記設定可能チャンネルの抽出の際、前記設定可能最多グループを複数選出した場合は、前記外部使用チャンネルの平均信号レベルが最も低い値を有する前記設定可能最多グループを選択して、この選択に係る設定可能最多グループに属する受信反チャンネルを設定可能チャンネルとして抽出することを要旨とする。
【００１９】
（９）請求項９に記載の発明は、請求項１〜８のいずれか一項に記載のワイヤレス受信機と、マイクロフォンとを備えるワイヤレスマイクロフォンシステムであることを要旨とする。
【００２０】
この発明によれば、ワイヤレス受信機に設定可能チャンネルが示されるため、ワイヤレス受信機の使用者は、ワイヤレス受信機の受信チャンネルおよびマイクロフォンの送信チャンネルを容易に設定することができる。
【図面の簡単な説明】
【００２１】
【図１】本発明の第１実施形態のワイヤレスマイクロフォンシステムについて、その概略構成を示す模式図。
【図２】同実施形態のマイクロフォンについて、その送信チャンネル設定部の正面構造を示す正面図。
【図３】同実施形態のマイクロフォンについて、その内部構成を示すブロック図。
【図４】同実施形態のワイヤレス受信機について、その内部構成を示すブロック図。
【図５】同実施形態のワイヤレス受信機について、選択チャンネルと混信する混信帯域を模式的に示す模式図。
【図６】同実施形態のワイヤレス受信機において実行される「設定可能チャンネル検索処理」について、その手順を示すフローチャート。
【図７】同実施形態のワイヤレス受信機において実行される「外部使用チャンネル判定処理」について、その手順を示すフローチャート。
【図８】同実施形態のワイヤレス受信機について、各受信チャンネルのグループおよび設定可能チャンネルを示すチャンネルマップ。
【図９】本発明の第２実施形態のワイヤレス受信機において実行される「設定可能チャンネル検索処理」について、その手順を示すフローチャート。
【図１０】本発明の第３実施形態のワイヤレス受信機について、各受信チャンネルのグループおよび設定可能チャンネルを示すチャンネルマップ。
【図１１】本発明の第４実施形態のワイヤレス受信機において実行される「設定可能チャンネル検索処理」について、その手順を示すフローチャート。
【発明を実施するための形態】
【００２２】
（第１実施形態）
図１〜図８を参照して本発明の第１実施形態について説明する。
図１に示すように、ワイヤレスマイクロフォンシステム１は、音声信号を送信する送信システム２と、音声信号を受信する受信システム３とを備える。
【００２３】
送信システム２は、複数本のマイクロフォン１０から構成されている。受信システム３は、ワイヤレスアンテナ４と、このワイヤレスアンテナ４からの信号を混合する混合器５と、混合器５からの信号を復調するワイヤレス受信機３０と、ワイヤレス受信機３０からの信号を混成するミキサ６と、ミキサ６からの信号を増幅するアンプ７と、スピーカ８とを備える。
【００２４】
マイクロフォン１０および受信システム３は複数のチャンネルを有する。各チャンネルは一つの周波数が割り当てられている。本実施形態では、８０６．１２５ＭＨｚ〜８０９．７５０ＭＨｚの範囲において０．１２５ＭＨｚずつ離間する各周波数に対してチャンネルが設定され、３０個のチャンネルを設けている（図８参照）。
【００２５】
送信システム２のチャンネル構成と受信システム３のチャンネル構成は一致し、送信システム２のチャンネルと受信システム３のチャンネルとは１対１に対応し、互いに対応するチャンネルに同一の周波数が割り当てられる。マイクロフォン１０の音声信号を受信システム３により受信するには、両者の使用するチャンネルを同じものに設定する。複数のマイクロフォン１０を使用するときは、複数のチャンネルが同時に使用される。
【００２６】
マイクロフォン１０のチャンネルは、図８に示されるように６つのＡグループ〜Ｆグループに区分けされている。各グループは、同一グループ内で複数のチャンネルを使用したときに混信が生じないチャンネルの組み合わせとなるように、各チャンネルが各グループに割り振られている。各グループに割り振られたチャンネルは、周波数が小さい順に番号が付与されている。図８では、Ａグループに、周波数８０６．７５０ＭＨｚのチャンネルＮｏ１（Ａ１）と、周波数８０７．５００ＭＨｚのチャンネルＮｏ２（Ａ２）と、周波数８０８．２５０ＭＨｚのチャンネルＮｏ３（Ａ３）と、周波数８０９．０００ＭＨｚのチャンネルＮｏ４（Ａ４）と、周波数８０９．７５０ＭＨｚのチャンネルＮｏ５（Ａ５）とが割り振られている。したがって、各チャンネルは、グループの指定とチャンネル番号との指定により、特定される。なお、受信システム３のチャンネルもマイクロフォン１０のチャンネル構成と同じ構成とされている。
【００２７】
以降では、送信システム２側のチャンネルを「送信チャンネルＣＨＸ」とし、受信システム３側のチャンネルを「受信チャンネルＣＨＹ」とする。また、送信システム２側のグループを「送信グループＧＲＸ」とし、受信側のグループを「受信グループＧＲＹ」とする。
【００２８】
マイクロフォン１０は、センサにより音声を検出するヘッド部１１と、送信チャンネルＣＨＸを設定する送信チャンネル設定部１２と、ヘッド部１１からの信号および設定されたチャンネルに基づいて音声信号を形成する信号処理部１３と、この信号処理部１３により形成された信号を送信する送信部１４とを備える。
【００２９】
図２に示すように、送信チャンネル設定部１２には、送信グループＧＲＸを設定する第１送信設定部１２Ａと、グループ内の特定の送信チャンネルＣＨＸを設定する第２送信設定部１２Ｂとが設けられている。
【００３０】
グループの設定は、第１ロータリスイッチ１２Ｃを回転して特定のグループ番号を選択することにより行われる。送信チャンネルＣＨＸの設定は、第２ロータリスイッチ１２Ｄを回転して特定のチャンネル番号を選択することにより行われる。
【００３１】
図３に示すように、信号処理部１３には、ヘッド部１１からの信号をデジタル信号に変換するＡ／Ｄ変換回路２１と、Ａ／Ｄ変換回路２１により形成されたデジタル信号に基づいて中間送信信号を形成する信号形成部２２と、中間送信信号を増幅して送信信号を形成する増幅回路２３とが設けられている。
【００３２】
信号形成部２２には、Ａ／Ｄ変換回路２１により形成されたデジタル信号を所定規格に準拠した信号に変換する信号処理回路２４と、信号処理回路２４からの信号をＦＭ変調するＦＭ変調回路２５と、ＦＭ変調された信号とキャリア周波数とに基づいて中間送信信号を形成する中間信号形成回路２６とが設けられている。
【００３３】
中間信号形成回路２６には、ＰＬＬ回路（位相同期ループ回路）が設けられている。ＰＬＬ回路は、ＦＭ変調回路２５により変調された信号とキャリア周波数とに基づいて安定した中間送信信号を形成する。キャリア周波数としては、送信チャンネル設定部１２により設定された送信チャンネルＣＨＸに対応する周波数が用いられる。送信チャンネルＣＨＸの設定の変更によりキャリア周波数が変更される。
【００３４】
図４を参照して、ワイヤレス受信機３０について説明する。
ワイヤレス受信機３０は、受信チャンネルＣＨＹを設定する操作部４０と、各受信チャンネルＣＨＹに１対１で対応付けられた受信部５０とを備える。なお、ワイヤレス受信機３０は、複数の受信ユニットの組み合わせにより構成されている。また各受信ユニットは複数の受信部５０から構成されている。
【００３５】
操作部４０は、ワイヤレス受信機３０の本体部の正面部に設けられている（図１参照）。操作部４０には、受信チャンネルＣＨＹを設定するための受信チャンネル設定部４１と、使用することができる受信チャンネルＣＨＹの検索およびその結果の表示を行う検索部４２とが設けられている。
【００３６】
受信チャンネル設定部４１には、受信グループＧＲＹを設定する第１受信設定部４３と、グループ内の特定の受信チャンネルＣＨＹを設定する第２受信設定部４４とが設けられている。第１受信設定部４３には、受信グループＧＲＹを選択する第１選択ボタン４３Ａと、選択された受信グループＧＲＹを表示するグループ表示部４３Ｂとが設けられている。第２受信設定部４４は、受信チャンネルＣＨＹを選択する第２選択ボタン４４Ａと、選択された受信チャンネルＣＨＹを表示するチャンネル表示部４４Ｂとが設けられている。
【００３７】
検索部４２には、複数の受信チャンネルＣＨＹのうちから設定可能チャンネルＣＨＤを検索する「設定可能チャンネル検索処理」を開始するための検索開始ボタン４５と、その検索処理結果を表示するための結果表示部４６（表示装置）と、その検索処理結果を順番に表示するための表示ボタン４７とが設けられている。
【００３８】
図４に示すように、受信部５０は、混合器５からの所定周波数信号を復調する復調器５１と、復調器５１からの信号に基づいて所定規格に準拠した信号に変換する信号処理回路５２と、信号処理回路５２からの信号をアナログ信号に変換するＤ／Ａ変換回路５３とを備える。さらに、受信部５０は、操作部４０および信号処理回路５２に指令を出す演算部５４と、演算部５４からの信号および操作部４０からの信号を記憶する記憶部５５とを備える。記憶部５５は、ランダムアクセスメモリにより構成されている。Ｄ／Ａ変換回路５３により形成された信号はミキサ６に出力される。
【００３９】
演算部５４は、信号処理回路５２からの信号に基づいて同信号の信号レベルを検出するとともに、信号レベルが予め設定された判定値よりも大きい値であるか否か判定する。そして、同演算部５４は、信号レベルが判定値より大きいとき、ワイヤレスマイクロフォンシステム１以外の外部装置からの信号を受信している旨判定し、同チャンネルが外部装置に使用されている旨の信号（以下、「外部使用信号」）を出力する。
【００４０】
複数の演算部５４のうちの１つが主演算部５４Ａとして設けられ、他の受信部５０の演算部５４は、主演算部５４Ａに従属する従演算部５４Ｂとして設けられている。主演算部５４Ａと従演算部５４Ｂとは互いに接続されている。主演算部５４Ａと従演算部５４Ｂとを区別しないときは上記のように演算部５４という。
【００４１】
主演算部５４Ａは、同演算部５４Ａおよび従演算部５４Ｂから出力された外部使用信号のチャンネルを把握する。そして、外部使用信号に基づいて、これらのチャンネルと混信するおそれのあるチャンネル（以下、「混信チャンネルＣＨＣ」）を演算により抽出するとともに、混信チャンネルＣＨＣを示す混信信号を出力する。
【００４２】
また、主演算部５４Ａは、混信が発生するおそれの小さいチャンネルを検索するための「設定可能チャンネル検索処理」を実行する。そして、「設定可能チャンネル検索処理」により検索されたチャンネルを設定可能チャンネルＣＨＤとして出力する。設定可能チャンネルＣＨＤは、ワイヤレスマイクロフォンシステム１のチャンネル設定時において、使用者に使用を推奨することができるチャンネルとして結果表示部４６に示される。
【００４３】
記憶部５５は、演算部５４から出力される信号、すなわち外部使用信号および混信信号に基づいて、次の（ａ）〜（ｃ）の状態を記憶する。
（ａ）演算部５４から外部使用信号が出力されたとき、この演算部５４が属する受信部５０の受信チャンネルＣＨＹに対応する周波数がワイヤレスマイクロフォンシステム１以外の外部装置により使用されていること、すなわちこの受信チャンネルＣＨＹが外部使用チャンネルＣＨＢである旨を記憶する。
【００４４】
（ｂ）演算部５４から混信信号が出力されたとき、この演算部５４が属する受信部５０の受信チャンネルＣＨＹを仮に使用すれば混信が生じるおそれがあること、すなわちこの受信チャンネルＣＨＹが混信チャンネルＣＨＣである旨を記憶する。
【００４５】
（ｃ）演算部５４から信号レベルが出力されたとき、この演算部５４が属する受信部５０の受信チャンネルＣＨＹの信号レベル（信号レベルの大きさ）を記憶する。なお、信号レベルは、受信チャンネルＣＨＹが外部使用チャンネルＣＨＢであるか否かを判定するために用いられる。
【００４６】
図５を参照して、上記演算部５４により抽出される混信チャンネルＣＨＣの設定方法について説明する。同図に示される各チャンネルに付随する範囲Ａは、混信の生じる範囲を示す。
【００４７】
混信が生じるか否かは、任意の２つのチャンネルの間で混信が生じるか否かに基づいて判断される。具体的には、任意に選択した選択チャンネルＣＨＡを使用状態において、同選択チャンネルＣＨＡの周波数に近い周波数を有する他のチャンネルを使用したときに互いに干渉が生じる場合、この他のチャンネルの周波数は選択チャンネルＣＨＡの混信帯域に属すると判断する。この判断は例えば予め試験的にマイクロフォン１０から発してみて計測して決定しておけばよい。
【００４８】
本実施形態では、干渉が生じる臨界領域すなわち干渉が生じる領域と干渉が生じない領域の境目の領域は、選択チャンネルＣＨＡから０．２５０ＭＨｚ〜０．３７５ＭＨｚに有ると確認された。したがって、任意に選択した選択チャンネルＣＨＡの周波数から少なくとも０．３７５ＭＨｚよりも離れた周波数帯に属するチャンネルは、同選択チャンネルＣＨＡと混信しない。
【００４９】
したがって、外部使用チャンネルＣＨＢと混信する混信チャンネルＣＨＣは次のように設定される。外部使用チャンネルＣＨＢに設定されたチャンネルの周波数を基準周波数とし、基準周波数よりも０．３７５ＭＨｚ（第１減分周波数）小さい周波数を第１周波数とし、基準周波数よりも０．３７５ＭＨｚ（第２増分周波数）大きい周波数との間の第２周波数とする。そして、第１周波数と第２周波数の間の周波数帯に対応する全てのチャンネルを混信チャンネルＣＨＣとして設定する。
【００５０】
複数の受信チャンネルから混信の生じるおそれの小さいチャンネルを検索する「設定可能チャンネル検索処理」について説明する。同処理は、検索開始ボタン４５が押されたときに実行される。
【００５１】
図６を参照して、「設定可能チャンネル検索処理」の手順について説明する。
ステップＳ１１０において検索開始ボタン４５が押されたが否か判定する。検索開始ボタン４５が押された旨判定するとき、ステップＳ１２０以降の処理が実行される。検索開始ボタン４５が押されていない旨判定するとき、「設定可能チャンネル検索処理」は終了する。
【００５２】
次に、ステップＳ１２０において、ワイヤレスマイクロフォンシステム１以外の外部装置からの信号が受信されているか否かを判定する「外部使用チャンネル判定処理」を実行する。「外部使用チャンネル判定処理」は周波数の小さいチャンネルから順に行う。
【００５３】
具体的には、周波数の最も小さい受信チャンネルＣＨＹを番号１に対応付けし、周波数の小さいチャンネル順に所定の整数を対応付け、周波数の最も大きいチャンネルを最も大きい整数（パラメータＮｍａｘ）に対応付けする。そして、パラメータＮを１からＮｍａｘまで順に繰り上げる操作を行うとともに（ステップＳ１４０）、パラメータＮと同じ整数を有する受信チャンネルＣＨＹに対して「外部使用チャンネル判定処理」を行う。パラメータがＮｍａｘを超えたとき（ステップＳ１３０）、次のステップに以降する。これにより、全ての受信チャンネルＣＨＹについて「外部使用チャンネル判定処理」が行われる。以降、周波数の小さいチャンネルから順に「外部使用チャンネル判定処理」を実行することを「チャンネルスキャン」という。
【００５４】
図８のチャンネルマップでは、８０６．１２５ＭＨｚに対応するチャンネルをパラメータＮ＝１とし同チャンネルから順に１チャンネルずつ「外部使用チャンネル判定処理」を実行する。そして、同処理により、ワイヤレスマイクロフォンシステム１以外の外部装置からの信号が受信されているか否かチャンネル毎に検査する。外部装置からの信号を受信している旨判定されたときは、当該チャンネルに対して外部使用チャンネルＣＨＢである旨の設定を行なう。
【００５５】
ステップＳ１５０において、チャンネルスキャンの結果に基づいて、上記混信チャンネルの設定方法により混信チャンネルＣＨＣを設定する。そして、全てのチャンネルから、外部使用チャンネルＣＨＢおよび混信チャンネルＣＨＣを除外して設定可能チャンネルＣＨＤを抽出する。
【００５６】
ステップＳ１６０において、各グループについて設定可能チャンネルＣＨＤの個数を算出する。さらに、各グループのうち、設定可能チャンネルＣＨＤの個数が最も多いグループ（以下、「設定可能最多グループＧＲＺ」）を抽出する。
【００５７】
ステップＳ１７０において、ステップＳ１６０において抽出された設定可能最多グループＧＲＺうち最も小さい番号の設定可能チャンネルＣＨＤを、ワイヤレス受信機３０の受信チャンネルＣＨＹとして設定する。そして、この設定可能チャンネルＣＨＤを結果表示部４６に表示する。
【００５８】
ワイヤレスマイクロフォンシステム１のチャンネルを設定する使用者は、結果表示部４６に表示された番号を参照して、マイクロフォン１０のグループおよびチャンネルを設定することができる。
【００５９】
すなわち、使用者は、チャンネル設定の際、（１）検索開始ボタン４５を押下すること、（２）その後、結果表示部４６に表示される番号に基づいてマイクロフォン１０のチャンネル設定をすること、の２つの操作だけで、混信の生じるおそれの小さいチャンネル設定をすることができる。
【００６０】
図７を参照して、上記の「外部使用チャンネル判定処理」の手順について説明する。なお、「外部使用チャンネル判定処理」は、各チャンネルについて順番に実行される。以下、パラメータＮに対応するチャンネル（以下、「Ｎチャンネル」）についての「外部使用チャンネル判定処理」の手順を示す。
【００６１】
ステップＳ２１０において、Ｎチャンネルの受信部５０を受信状態に設定する。次に、ステップＳ２２０において、時間Ｘの計測を開始する。そして、ステップＳ２３０において、受信部５０の信号レベルが判定値よりも大きいか否かを判定する。判定値は、外部装置からの外部電波が入り込む場合において、外部電波のレベルが受信チャンネルＣＨＹとの間で混信が生じない大きさの最大値と同じレベルの値とされる。受信部５０の信号レベルが判定値よりも大きいときは、ステップＳ２４０においてＮチャンネルを外部使用チャンネルＣＨＢに設定する。
【００６２】
ステップＳ２３０において、受信部５０の信号レベルが判定値以下のときは、ステップＳ２５０において時間Ｘが判定時間よりも大きいか否かを判定する。すなわち、判定時間が経過するまで、受信部５０の信号レベルが判定値よりも大きいか否かの判定を行う。時間Ｘが判定時間を超えたとき、ステップＳ２６０において同該受信部５０のＮチャンネルを未使用チャンネルＣＨＥに設定する。
【００６３】
図８を参照して、設定可能チャンネルＣＨＤの抽出について説明する。以下では、各チャンネルが６グループに分類され、かつ各グループが５つのチャンネルにより構成された場合を例にして、設定可能チャンネルＣＨＤの抽出について説明する。まず、ワイヤレス受信機３０のチャンネルの構成について具体的に説明する。
【００６４】
図８に示すチャンネルマップは、受信チャンネルＣＨＹが属するグループと、そのグループ内でのチャンネル番号を示す。グループ欄のグループ列には、チャンネルの属するグループとチャンネル番号とが結合した符号が記載されている。例えば、周波数８０６．１２５ＭＨｚに対応するチャンネルは、Ｆグループに属し、チャンネル番号は１である。周波数８０６．２５０ＭＨｚに対応するチャンネルは、Ｄグループに属し、チャンネル番号は１である。
【００６５】
受信チャンネルＣＨＹを周波数の昇順に並べた順列において、互いに隣接するチャンネルは、グループが異なるように配属されている。例えば、周波数８０６．１２５ＭＨｚを有するチャンネルは、Ｆグループに属し、このチャンネルに隣接する周波数８０６．２５０ＭＨｚのチャンネルは、Ｄグループに属する。
【００６６】
また、同一グループ内においては、隣接するチャンネルが０．７５０ＭＨｚ離れるように設定されている。０．７５０ＭＨｚは、ワイヤレスマイクロフォンシステム１が準拠する無線規格において互いに混信しないとされる周波数幅の２倍に相当する。このため、仮に、外部使用チャンネルＣＨＢがない環境でワイヤレスマイクロフォンシステム１を使用する場合において、使用するチャンネルを同グループ内で設定したとき、設定したチャンネル同士の間で混信は発生しない。
【００６７】
さらに、Ａグループ内の受信チャンネルＣＨＹとＢグループ内の受信チャンネルＣＨＹとは少なくとも０．３７５ＭＨｚ離れるように設定されている。０．３７５ＭＨｚは、同ワイヤレスマイクロフォンシステム１が準拠する無線規格において互いに混信しないとされる周波数幅と一致する。このため、仮に、外部使用チャンネルＣＨＢがない環境でワイヤレスマイクロフォンシステム１を使用する場合において、使用するチャンネルをＡグループおよびＢグループ内で設定するとき、設定したチャンネル同士の間で混信は生じない。このような設定の場合、２つのグループを用いるため、最大で１０チャンネル使用することができる。また、ＣグループとＤグループとの関係、およびＥグループとＦグループとの関係のいずれとも、ＡグループとＢグループとの関係と同様に設定されている。
【００６８】
設定可能チャンネルＣＨＤが抽出されるまでの過程について、説明する。なお、図８のチャンネルマップには、ステップＳ１１０〜ステップＳ１６０までの処理を実行したときの状態が示されている。
【００６９】
外部使用チャンネルＣＨＢの列には、各受信チャンネルＣＨＹが外部使用チャンネルＣＨＢであるか否かが示されている。図８では、外部使用チャンネルＣＨＢが４つあることを示す。混信チャンネルＣＨＣの列には、外部使用チャンネルＣＨＢと混信のおそれのあるチャンネルが示されている。
【００７０】
図８に示す例では、上記混信チャンネルＣＨＣの設定方法に基づいて外部使用チャンネルＣＨＢの各チャンネルの前３つおよび後ろ３つのチャンネルが混信チャンネルＣＨＣに設定され、全部で１４個のチャンネルが混信チャンネルＣＨＣに設定されている。
【００７１】
外部使用チャンネルＣＨＢおよび混信チャンネルＣＨＣに設定されたチャンネルは、設定することができないチャンネル（以下、「設定不可チャンネルＣＨＦ」）とされる。グループ欄のドット領域のチャンネルが設定不可チャンネルＣＨＦとなる。したがって、グループ欄において、ドット領域以外のチャンネルが設定可能チャンネルＣＨＤとされる。
【００７２】
このようにして設定可能チャンネルＣＨＤが設定された後に、各グループについて設定可能チャンネルＣＨＤの個数がカウントされる。設定可能ｃｈ数の行に、各グループの設定可能チャンネルＣＨＤの個数が示されている。さらに、各グループのうち、設定可能チャンネルＣＨＤの個数が最も多い設定可能最多グループＧＲＺが選択される。図８の例では、Ｆグループが、設定可能最多グループＧＲＺとして抽出されている。そして、「Ｆグループ」およびＦグループの設定可能チャンネルＣＨＤのうち最もチャンネル番号の小さい「１」が設定可能チャンネルＣＨＤとして結果表示部４６に表示される。
【００７３】
本実施形態によれば以下の作用効果を奏することができる。
（１）本実施形態では、複数の受信チャンネルＣＨＹは複数のグループに分けられ、グループのそれぞれは同一グループ内での使用により混信が生じない受信チャンネルＣＨＹの組み合わせとされる。また、複数のグループから１つのグループが選択グループとして選ばれて、この選択グループ内の受信チャンネルＣＨＹのうち、外部使用チャンネルＣＨＢおよび混信チャンネルＣＨＣ以外の各受信チャンネルＣＨＹを設定可能チャンネルＣＨＤとして抽出される。
【００７４】
外部使用チャンネルＣＨＢおよび混信チャンネルＣＨＣ以外の受信チャンネルＣＨＹを複数使用したとき、使用した受信チャンネルＣＨＹ同士で混信が生じることがある。この点、上記構成によれば、グループは同一グループ内での使用により混信が生じない受信チャンネルＣＨＹの組み合わせとする。その上で、同一グループ内において、外部使用チャンネルＣＨＢおよび混信チャンネルＣＨＣ以外の受信チャンネルＣＨＹを設定可能チャンネルＣＨＤとするため、設定されるチャンネル同士の混信を抑制することができる。したがって、ワイヤレス受信機３０の使用者は、この設定可能チャンネルＣＨＤに基づいて、ワイヤレス受信機３０の受信チャンネルＣＨＹを容易に設定することができる。
【００７５】
（２）本実施形態では、グループごとに、設定可能チャンネルＣＨＤの個数が求められる。この個数が最も多いグループを設定可能最多グループＧＲＺとして選出し、この設定可能最多グループＧＲＺを選択グループとする。そして、この選択グループ内の受信チャンネルＣＨＹのうち、外部使用チャンネルＣＨＢおよび混信チャンネルＣＨＣ以外の各受信チャンネルＣＨＹを設定可能チャンネルＣＨＤとされる。
【００７６】
この構成によれば、設定可能最多グループＧＲＺ内において互いに混信しない受信チャンネルＣＨＹが設定可能チャンネルＣＨＤとされるため、使用者の使用することのできるチャンネル数を多くすることができる。
【００７７】
（３）本実施形態では、第１周波数と第２周波数との間の周波数を有する受信チャンネルを混信チャンネルＣＨＣとして抽出する。ここで、第１周波数は、外部使用チャンネルＣＨＢに対応する周波数（外部周波数）を含む前後で、２以上のチャンネルを使用したときチャンネル同士が互いに干渉し合う範囲において周波数（外部周波数）から最も低周波数側に離れた周波数とする。第２周波数は、外部使用チャンネルＣＨＢに対応する周波数（外部周波数）から最も高周波数側に離れた周波数とする。
【００７８】
この構成によれば、チャンネル設定したとき互いに干渉し合う帯域に属する周波数は、混信チャンネルＣＨＣに該当するものとされ、設定可能チャンネルＣＨＤから除外されるため、チャンネル同士の混信をより確実に抑制することができる。
【００７９】
（４）本実施形態では、複数の受信チャンネルＣＨＹのそれぞれについて信号レベルが取得され、受信チャンネルＣＨＹのそれぞれが判定値と比較され、信号レベルが判定値よりも大きいとき、当該受信チャンネルＣＨＹが外部使用チャンネルＣＨＢとされる。
【００８０】
この構成によれば、信号レベルと判定値とを比較することにより、ワイヤレス受信機３０以外の外部の装置が使用する外部使用チャンネルＣＨＢが存在するか否かを判定する。このため、混信を生じるおそれがある外部使用チャンネルＣＨＢを確実に把握することができる。
【００８１】
（５）本実施形態では、設定可能チャンネルＣＨＤを表示する結果表示部４６（表示装置）が設けられている。この構成によれば、結果表示部４６により設定可能チャンネルＣＨＤを当該ワイヤレス受信機３０の使用者に示すことができるため、使用者は、結果表示部４６に示される設定可能チャンネルＣＨＤを見て、容易にチャンネルを設定することができる。
【００８２】
（６）本実施形態では、ワイヤレスマイクロフォンシステム１は、上記構成のワイヤレス受信機３０と、上記構成のマイクロフォン１０とを備えている。この構成によれば、ワイヤレス受信機３０に設定可能チャンネルＣＨＤが示されるため、ワイヤレス受信機３０の使用者は、ワイヤレス受信機３０の受信チャンネルＣＨＹおよびマイクロフォン１０の送信チャンネルＣＨＸを容易に設定することができる。
【００８３】
（第２実施形態）
図９を参照して本発明の第２実施形態について説明する。
本実施形態のワイヤレスマイクロフォンシステム１は、第１実施形態の構成に対して次の変更を加えたものとなっている。すなわち、第１実施形態では、音声信号をデジタル信号に変換するワイヤレスマイクロフォンシステム１に対して本発明を適用した例を説明している。一方、本実施形態では、音声信号をアナログ信号に変換するワイヤレスマイクロフォンシステム１に対して本発明を適用している。以下、この変更にともない生じる前記第１実施形態の構成からの詳細な変更について説明する。なお、前記第１実施形態と共通する構成については同一の符合を付してその説明を省略する。
【００８４】
ワイヤレスマイクロフォンシステム１、マイクロフォン１０およびワイヤレス受信機３０については、Ａ／Ｄ変換回路２１およびＤ／Ａ変換回路５３がない点を除いては第１実施形態と同様の構成である。アナログの送信信号をワイヤレス受信機３０により受信するときと、デジタルの送信信号を受信するときとでは、混信が生じるチャンネル同士の関係が異なる。このため、アナログのワイヤレスマイクロフォンシステム１では、デジタルのワイヤレスマイクロフォンシステム１とは異なる「外部使用チャンネル判定処理」が行われる。
【００８５】
図９を参照して、本実施形態の「設定可能チャンネル検索処理」の手順について説明する。
ステップＳ３１０において検索開始ボタン４５が押されたが否か判定する。検索開始ボタン４５が押された旨判定するとき、ステップＳ３２０以降の処理が実行される。検索開始ボタン４５が押されていない旨判定するとき、「設定可能チャンネル検索処理」は終了する。
【００８６】
ステップＳ３２０において、ワイヤレスマイクロフォンシステム１以外の外部装置からの信号が受信されているおそれがあるか否かを判定する「外部使用チャンネル判定処理」を実行する。「外部使用チャンネル判定処理」は、周波数の小さいチャンネルから順に行う。
【００８７】
ステップＳ３５０において、外部使用チャンネルＣＨＢの相互３次変調歪の影響のあるチャンネル（以下、「３次混信チャンネルＣＨＧ」）を算出する。なお、３次混信チャンネルＣＨＧについては、各受信チャンネルＣＨＹに予め算出または計測して混信マップを作成しておき、この混信マップを参照するようにしてもよい。
【００８８】
ステップＳ３６０において、全チャンネルから、外部使用チャンネルＣＨＢおよび３次混信チャンネルＣＨＧを除外することにより、設定可能チャンネルＣＨＤを抽出する。
ステップＳ３７０において、各グループにおいて設定可能チャンネルＣＨＤの個数を算出する。さらに、各グループ中、設定可能チャンネルＣＨＤの最も多いグループを抽出する。
【００８９】
ステップＳ３８０において、ステップＳ３６０において抽出されたグループをグループ表示部４３Ｂに表示するとともに、同グループのうち最もチャンネル番号の小さい設定可能チャンネルＣＨＤをチャンネル表示部４４Ｂに表示する。
【００９０】
本実施形態によれば、先の第１実施形態による前記（１）〜（６）の効果に加えて、さらに以下に示す効果を奏することができる。
（７）本実施形態では、外部使用チャンネルＣＨＢに対応する周波数の相互３次変調歪の影響のある周波数を有するチャンネルを混信チャンネルＣＨＣとして抽出する。この構成によれば、外部使用チャンネルＣＨＢに対応する周波数の相互３次変調歪の影響のある周波数を有するチャンネルを混信チャンネルＣＨＣとして設定しないものに比較して、ワイヤレス受信機３０の使用者に、混信が生じない受信チャンネルＣＨＹをより確実に示すことができる。
【００９１】
（第３実施形態）
図１０を参照して本発明の第３実施形態について説明する。
本実施形態のワイヤレスマイクロフォンシステム１は、第１実施形態の構成に対して次の変更を加えたものとなっている。すなわち、第１実施形態では、各チャンネルが６つのグループを分類されているものについて本発明を適用して、グループごとに設定可能チャンネルＣＨＤを抽出している。一方、本実施形態では、グループに関係なく設定可能チャンネルＣＨＤを抽出している。以下、この変更にともない生じる前記第１実施形態の構成からの詳細な変更について説明する。なお、前記第１実施形態と共通する構成については同一の符合を付してその説明を省略する。
【００９２】
設定可能チャンネルＣＨＤを抽出する過程において、外部使用チャンネルＣＨＢ、および混信チャンネルＣＨＣを検索するまでの過程は、第１実施形態と同様である。全チャンネルのうち、外部使用チャンネルＣＨＢ、および混信チャンネルＣＨＣ以外のチャンネルは、使用することができるチャンネル（未使用チャンネルＣＨＥ）である。しかし、周波数の小さい順にチャンネルを設定するとき、隣接するチャンネル同士で混信が生じる。
【００９３】
この点、第１実施形態では、チャンネル同士は混信が生じないグループを形成して、同一グループ内でチャンネルを設定する。すなわち、設定可能最多グループＧＲＺを抽出し、設定可能最多グループＧＲＺ内の受信チャンネルＣＨＹを設定可能チャンネルＣＨＤとする。
【００９４】
一方、本実施形態では、全チャンネルのうち、外部使用チャンネルＣＨＢおよび混信チャンネルＣＨＣ以外のチャンネル（未使用チャンネルＣＨＥ）により構成される群において、グループに関係なく、チャンネル同士が互いに混信が生じないように受信チャンネルＣＨＹを選択する。そこで、ワイヤレスマイクロフォンシステム１が準用する規格において互いに混信しない周波数幅である０．３７５ＭＨｚよりも離れるように、上記群から受信チャンネルＣＨＹが選択される。このような規則の選択により抽出される設定可能チャンネルＣＨＤの組み合わせは複数考えられる。このうちの一部を図１０に示す。
【００９５】
組み合わせの欄のＸ列は、複数の未使用チャンネルＣＨＥにおいて、上記規則に基づいて抽出した設定可能チャンネルＣＨＤの組み合わせの一例である。この場合、隣接するチャンネルの間隔は少なくとも０．３７５ＭＨｚ離間する必要があるため、設定可能チャンネルＣＨＤの個数は４個となる。Ｘ列の番号は、抽出された設定可能チャンネルＣＨＤにより形成される組み合わせグループ内において付けた識別番号を示す。
【００９６】
組み合わせの欄のＹ列は、上記規則に基づいて抽出した設定可能チャンネルＣＨＤの組み合わせの他の例である。この場合は、上記したＸ列の場合と同様に、設定可能チャンネルＣＨＤの個数は４個となる。
【００９７】
組み合わせの欄のＺ列は、上記規則に基づいて抽出した設定可能チャンネルＣＨＤの組み合わせの他の例である。この場合は、上記したＸ列の場合と異なり、設定可能チャンネルＣＨＤの個数は３個となる。
【００９８】
このようにして、各組み合わせについて設定可能チャンネルＣＨＤの個数を算出し、これら組み合わせのうち最も設定可能チャンネルＣＨＤの個数が多い組み合わせ（設定可能最多グループＧＲＺ）を抽出する。図１０では、Ｘ列の組み合わせとＹ列の組み合わせが抽出される。
【００９９】
複数の組み合わせが抽出されたとき、各組み合わせについて信号レベルの平均値が求められ、各組み合わせについての信号レベルの平均値が比較される。そして、信号レベルの平均値が最も低い組み合わせが選択される。図１０では、信号レベルの値の平均値としてのＱ１〜Ｑ３のうちＱ２が最も小さい値とする。このような場合、列Ｙの組み合わせが設定可能最多グループＧＲＺとして選択される。そして、この組み合わせに属する受信チャンネルＣＨＹのうち、最も番号の小さい受信チャンネルＣＨＹすなわち８０６．１２５ＭＨｚに対応するチャンネル番号が結果表示部４６に表示される。
【０１００】
本実施形態によれば、先の第１実施形態による前記（２）〜（６）の効果に加えて、さらに以下に示す効果を奏することができる。
（８）本実施形態では、未使用チャンネルＣＨＥにより構成されるグループから、複数の組み合わせが抽出される。この組み合わせは、同組み合わせ内で複数の未使用チャンネルＣＨＥを使用したとき互いに混信しないものとされる。そして、抽出された組み合わせのうち１つを選択し、選択した１つの組み合わせに属する受信チャンネルＣＨＹが設定可能チャンネルＣＨＤとされる。
【０１０１】
この構成によれば、未使用チャンネルＣＨＥのうち互いに混信しない組み合わせを抽出し、この組み合わせに属する未使用チャンネルＣＨＥが設定可能チャンネルＣＨＤとされる。このため、設定可能チャンネルＣＨＤ同士の混信を抑制することができる。
【０１０２】
（第４実施形態）
図１１を参照して本発明の第４実施形態について説明する。
本実施形態のワイヤレスマイクロフォンシステム１は、第１実施形態の構成に対して次の変更を加えたものとなっている。すなわち、第１実施形態では、各グループのうちで、設定可能チャンネルＣＨＤの個数が最も多いグループを設定可能最多グループＧＲＺとして選択する。一方、本実施形態では、設定可能最多グループＧＲＺが複数あるとき、各グループについて外部使用チャンネルＣＨＢの信号レベルの平均値を比較して、信号レベルの平均値が最も小さいグループを結果表示部４６に表示する設定可能最多グループＧＲＺとして選択する。以下、この変更にともない生じる前記第１実施形態の構成からの詳細な変更について説明する。なお、前記第１実施形態と共通する構成については同一の符合を付してその説明を省略する。
【０１０３】
図１１を参照して、本実施形態の「設定可能チャンネル検索処理」の手順について説明する。
ステップＳ４１０〜ステップＳ４６０までの工程は、第１実施形態の「設定可能チャンネル検索処理」のステップＳ１１０〜Ｓ１６０までの工程と同様である。次に、ステップＳ４７０において、設定可能最多グループＧＲＺが複数抽出されたか否かを判定する。ステップＳ４７０において否定したとき、ステップＳ４９０において設定可能最多グループＧＲＺを結果表示部４６に表示する。
【０１０４】
一方、ステップＳ４７０において肯定判定したとき、ステップＳ４８０において設定可能最多グループＧＲＺとされた各グループについて、グループ内に属する外部使用チャンネルＣＨＢの平均信号レベルを比較し、最も平均信号レベルが小さい設定可能最多グループＧＲＺを選出する。そして、ステップＳ４９０において、当該設定可能最多グループＧＲＺおよび、このグループのうち最もチャンネル番号の小さい設定可能チャンネルＣＨＤを結果表示部４６に表示する。
【０１０５】
本実施形態によれば、先の第１実施形態による前記（１）〜（５）の効果に加えて、さらに以下に示す効果を奏することができる。
（９）本実施形態では、グループ内の外部使用チャンネルＣＨＢについて信号レベルの平均値（平均信号レベル）が求められ、設定可能最多グループＧＲＺが複数あるとき、設定可能最多グループＧＲＺのうちで信号レベルの平均値が最も小さいグループが抽出される。そして、このグループ内の受信チャンネルＣＨＹのうち、外部使用チャンネルＣＨＢ、および混信チャンネルＣＨＣ以外の各受信チャンネルＣＨＹを設定可能チャンネルＣＨＤとして抽出される。
【０１０６】
この構成によれば、設定可能最多グループＧＲＺが複数あるとき、各グループについて外部使用チャンネルＣＨＢの信号レベルの平均値が求められて、信号レベルの平均値が最も小さい設定可能最多グループＧＲＺが選択グループとされる。そして、選択グループ内、外部使用チャンネルＣＨＢ、および混信チャンネルＣＨＣ以外の各受信チャンネルＣＨＹが設定可能チャンネルＣＨＤとされる。このため最も混信が生じにくいグループを使用者に示すことができる。
【０１０７】
（その他の実施形態）
なお、本発明の実施態様は上記各実施形態にて例示した態様に限られるものではなく、これを例えば以下に示すように変更して実施することもできる。また以下の各変形例は、上記各実施形態についてのみ適用されるものではなく、異なる変形例同士を互いに組み合わせて実施することもできる。
【０１０８】
上記第１実施形態では、混信チャンネルＣＨＣの範囲の最小値と基準周波数との間隔と、混信チャンネルＣＨＣの範囲の最大値と基準周波数との間隔とを同じ値に設定しているが、これらを異なる値にしてもよい。すなわち、上記第１減分周波数の絶対値と第２増分周波数の絶対値が異なる値としてもよい。
【０１０９】
・上記第１実施形態では、信号レベルに基づいて外部使用チャンネルＣＨＢか否か判定しているが、これを判定するためのパラメータは信号レベルに限定されない。例えば、判定のパラメータとしてＣ／Ｎ比を用いることもできる。
【０１１０】
・上記第１実施形態では、ワイヤレス受信機３０の受信チャンネルＣＨＹを互いに混信しないようにグループ分けし、その上で、設定可能チャンネルＣＨＤを抽出している。しかし、このようなグループ分けを行わず、全ての受信チャンネルＣＨＹのうち、外部使用チャンネルＣＨＢおよび混信チャンネルＣＨＣ以外の受信チャンネルＣＨＹを設定可能チャンネルＣＨＤとすることができる。
【０１１１】
この構成によれば、外部使用チャンネルＣＨＢおよび混信チャンネルＣＨＣ以外の受信チャンネルＣＨＹがワイヤレス受信機３０の使用者に提示されるため、使用者は、混信の生じるおそれが少ない受信チャンネルＣＨＹを容易に設定することができる。なお、周波数を昇順に整列して並べたチャンネル順において互いに隣接するチャンネルを使用しても混信が生じないような状況である場合に、この設定を適用することが好ましい。
【０１１２】
・上記第１実施形態では、ステップＳ１７０において、設定可能最多グループＧＲＺのうち最も小さい番号の設定可能チャンネルＣＨＤを受信チャンネルＣＨＹとして設定する。これに対し、次のように処理して、実際に設定するチャンネルを使用者に選択させるようにしてもよい。
【０１１３】
すなわち、ステップＳ１７０において、ステップＳ１６０において抽出された設定可能最多グループＧＲＺと、同グループのうち最も小さい番号の設定可能チャンネルＣＨＤとを、結果表示部４６に表示する。この時点では、受信システム３において、設定可能チャンネルＣＨＤが設定されない。そして、使用者に、設定可能チャンネルＣＨＤのいずれのチャンネルを選択させる待機状態とする。すなわち、待機状態のとき、表示ボタン４７を押せば設定可能最多グループＧＲＺのうち設定可能チャンネルＣＨＤが順番に結果表示部４６に表示される構成とする。第２受信設定部４４の押下により設定可能チャンネルＣＨＤを選択可能とする。これにより、使用者は、グループ表示部４３Ｂおよびチャンネル表示部４４Ｂに表示された番号を参照し、表示されるいずれかの番号を選択して、マイクロフォン１０およびワイヤレス受信機３０のグループおよびチャンネルを選択することができる。使用者は、設定可能チャンネルＣＨＤのうちで、混信の少ないチャンネルを任意に選ぶことができる。
【０１１４】
・上記第１実施形態では、ワイヤレスマイクロフォンシステム１のチャンネルを設定する使用者は、ワイヤレス受信機３０の結果表示部４６に示されるグループ表示部４３Ｂおよびチャンネル表示部４４Ｂを参照して、マイクロフォン１０のグループおよびチャンネルを設定する。このような構成の場合、妨害電波の発生により混信が生じて使用者がマイクロフォン１０のチャンネル変更をする事情が生じたとき、結果表示部４６の表示を確認するために、ワイヤレス受信機３０に近づいてチャンネルを設定する必要がある。そこで、ワイヤレス受信機３０およびマイクロフォン１０にブルートゥース（Ｂｌｕｅｔｏｏｔｈ）等の近距離無線装置を設け、最初に抽出した設定可能チャンネルＣＨＤの情報を送信してマイクロフォン１０に表示させる構成としてもよい。このような構成によれば、マイクロフォン１０に表示される設定可能チャンネルＣＨＤを参照することができるので、使用者がワイヤレス受信機３０に近づかなくてもチャンネルを変更することができる。
【０１１５】
・上記第２実施形態では、外部使用チャンネルＣＨＢの相互３次変調歪の影響のあるチャンネルを３次混信チャンネルＣＨＧとして設定可能チャンネルＣＨＤから除外する構成をアナログ信号対応のワイヤレス受信機３０に対して適用している。このような構成は、デジタル対応のワイヤレス受信機３０に対しても適用することも出来る。
【０１１６】
・上記第３実施形態では、グループに関係なく、チャンネル同士が互いに混信が生じないように設定可能チャンネルＣＨＤの組み合わせを抽出する。この組み合わせを決める条件として、選択された設定可能チャンネルＣＨＤが互いに混信しないように、周波数０．３７５ＭＨｚの間隔以上離れるように受信チャンネルＣＨＹを選択する。これに代えて、チャンネル間の周波数の間隔を０．３７５ＭＨｚより大きくすることも、また小さくすることもできる。例えば、マイクロフォン１０からの電波強度が小さいときは、設定可能チャンネルＣＨＤ間の周波数の間隔を０．３７５ＭＨｚよりも小さくすることができる。
【０１１７】
・上記第４実施形態では、「設定可能チャンネル検索処理」後において設定可能最多グループＧＲＺが複数抽出されるとき、グループ間で信号レベルの平均を比較して、最も信号レベルが小さいグループの受信チャンネルＣＨＹを結果表示部４６に表示する構成としている。一方、Ｓ／Ｎ比の平均値が最も小さいグループの受信チャンネルＣＨＹを結果表示部４６に表示することもできる。
【０１１８】
・上記第２〜第４実施形態では、「設定可能チャンネル検索処理」の検索結果である設定可能チャンネルＣＨＤを結果表示部４６に表示しているが、これを音声により出力する構成としてもよい。
【符号の説明】
【０１１９】
１…ワイヤレスマイクロフォンシステム、２…送信システム、３…受信システム、４…ワイヤレスアンテナ、５…混合器、６…ミキサ、７…アンプ、８…スピーカ、１０…マイクロフォン、１１…ヘッド部、１２…送信チャンネル設定部、１２Ａ…第１送信設定部、１２Ｂ…第２送信設定部、１２Ｃ…第１ロータリスイッチ、１２Ｄ…第２ロータリスイッチ、１３…信号処理部、１４…送信部、２１…Ａ／Ｄ変換回路、２２…信号形成部、２３…増幅回路、２４…信号処理回路、２５…ＦＭ変調回路、２６…中間信号形成回路、３０…ワイヤレス受信機、４０…操作部、４１…受信チャンネル設定部、４２…検索部、４３…第１受信設定部、４３Ａ…第１選択ボタン、４３Ｂ…グループ表示部、４４…第２受信設定部、４４Ａ…第２選択ボタン、４４Ｂ…チャンネル表示部、４５…検索開始ボタン、４６…結果表示部、４７…表示ボタン、５０…受信部、５１…復調器、５２…信号処理回路、５３…Ｄ／Ａ変換回路、５４…演算部、５５…記憶部。
【図１】
0005412413.tif 000002
【図２】
0005412413.tif 000003
【図３】
0005412413.tif 000004
【図４】
0005412413.tif 000005
【図５】
0005412413.tif 000006
【図６】
0005412413.tif 000007
【図７】
0005412413.tif 000008
【図８】
0005412413.tif 000009
【図９】
0005412413.tif 000010
【図１０】
0005412413.tif 000011
【図１１】
0005412413.tif 000012